(57)【要約】【課題】  本発明は、上記問題点を解決すべく、伸縮の調整が可能な連結部材及びペット用リードを提供することを目的とする。【解決手段】  本発明のペット用リードの連結部材は、伸縮性を有する弾性部材と、前記弾性部材に取り付けられたフックと、前記フックに脱着可能な第一の芯材とを有することを特徴とする。また、本発明のペット用リードは、伸縮性を有する弾性部材と、前記弾性部材に接続可能なリードと、前記弾性部材又は前記リードに取り付けられた少なくとも２つのフックと、前記フックに脱着可能な第一の芯材とを有するペット用リードであって、前記脱着により前記ペット用リードの伸縮性が可変可能であることを特徴とする。【選択図】図２
2011167136.tif 000002
【特許請求の範囲】
【請求項１】
伸縮性を有する弾性部材と、前記弾性部材に取り付けられたフックと、前記フックに脱着可能な第一の芯材とを有するペット用リードの連結部材。
【請求項２】
さらに、前記弾性部材の伸縮性に制限を加えることが可能な第二の芯材を有する請求項1記載の連結部材。
【請求項３】
伸縮性を有する弾性部材と、前記弾性部材に接続可能なリードと、前記弾性部材又は前記リードに取り付けられた少なくとも２つのフックと、前記フックに脱着可能な第一の芯材とを有するペット用リードであって、前記脱着により前記ペット用リードの伸縮性が可変可能であることを特徴とするペット用リード。
【請求項４】
さらに、前記弾性部材の伸縮性に制限を加えることが可能な第二の芯材を有する請求項２記載のペット用リード。
【請求項５】
前記第二の芯材が、前記弾性部材に沿って配置されている請求項４記載のペット用リード。
【請求項６】
前記第二の芯材が、巻き取り可能である請求項４又は５項に記載のペット用リード。
【発明の詳細な説明】
【技術分野】
【０００１】
本発明は、連結部材及びリードに関し、特にペット用リードに使用可能な連結部材及びペット用リードに関する。
【背景技術】
【０００２】
従来、飼い犬等のペットを散歩に連れて行く場合等に使用するペット用リードとして、手持ち部を有するリード本体と、このリード本体の先端部に連結されたペット装着品に対する掛止金具とを備えており、リード本体の一部を長手方向に弾性伸長自在な材料で構成することによって手持ち部に伝わる衝撃を緩和するようにしたものが知られている(特許文献１)。しかしながら、このようなリードは、蛇腹状に形成された長尺袋状の外皮部材の内部にゴム紐を挿通し、このゴム紐の長手方向端部を掛止金具や金属性リングに連結するようにしているため、かかる構成では、ゴム紐が何度も伸縮を繰り返しているうちに、その長手方向端部が掛止金具や金属製リングからの過大な摩擦力によって早期に摩耗する恐れがあり、ペット用リードの耐久性を向上することができないという欠点がある。
【０００３】
そこで、弾性材料を金属部材に直接連結しなくても弾性変形自在なリード本体を構成できるようにして、リード本体の耐久性を損なうことなく散歩時等における衝撃を有効に緩和することができるペット用リードの開発がされている。このようなリードとして、例えば、リード本体が、非伸長性を有する高張力ベルトの長手方向端部に伸縮自在な弾性ベルトの長手方向端部を重ね合わせた状態で接続してなる芯材と、前記弾性ベルトに対応する範囲においては蛇腹状となるように前記芯材を被覆している非伸長性を有する長手方向に連続した長尺袋状の外皮部材とからなり、前記高張力ベルトと弾性ベルトの重合部分とこの重合部分を被覆する前記外皮部材の表裏部とからなる積層構造体がこれらを表裏に貫通する固定部材によって相互に一体化されているペット用リードが知られている（特許文献２）。
【０００４】
【特許文献１】実用新案登録第３０５５９７１号
【特許文献２】特願２００１−４９３５６
【発明の開示】
【発明が解決しようとする課題】
【０００５】
しかしながら、上述の特許文献１においては、リードの全部又は一部を衝撃吸収素材によりリード全体が伸縮可能となっているが、伸縮機能を制限したい場合の構成が採用されていないので、例えば、マンション等の建物内や、狭い場所等において、飼い犬等ペットの行動範囲を制限したい場合には、有効な手段がないという問題点を有する。また、上述の特許文献２においても、このリードは、リード耐久性向上のために、補強構造が施されて一体となった強化リードであるが、やはり、飼い犬等ペットの行動範囲を制限したい場合には、有効な手段がないという問題点を有する。したがって、伸縮を自在に制限して、非伸縮性にしたり、又は伸縮の強弱を調整することが可能であれば、飼い犬等ペットの行動範囲を制限することはもちろん、飼い犬等ペットの大小に併せて、ペットに対応した伸縮性を発揮することも可能であり、このようなペット用リードの開発が望まれていた。しかるに、このような伸縮の強弱等を調整可能なペット用リード又は連結部材はこれまで存在しない。
【０００６】
そこで、本発明は、上記問題点を解決すべく、伸縮の調整が可能な連結部材及びペット用リードを提供することを目的とする。
【課題を解決するための手段】
【０００７】
上記目的を達成するために、本発明者は、ペット用リード及び連結部材について鋭意検討した結果、本発明を見出すに至った。
【０００８】
すなわち、本発明のペット用リードの連結部材は、伸縮性を有する弾性部材と、前記弾性部材に取り付けられたフックと、前記フックに脱着可能な第一の芯材とを有することを特徴とする。
【０００９】
また、本発明の連結部材の好ましい実施態様において、さらに、前記弾性部材の伸縮性に制限を加えることが可能な第二の芯材を有することを特徴とする。
【００１０】
また、本発明のペット用リードは、伸縮性を有する弾性部材と、前記弾性部材に接続可能なリードと、前記弾性部材又は前記リードに取り付けられた少なくとも２つのフックと、前記フックに脱着可能な第一の芯材とを有するペット用リードであって、前記脱着により前記ペット用リードの伸縮性が可変可能であることを特徴とする。
【００１１】
また、本発明のペット用リードの好ましい実施態様において、さらに、前記弾性部材の伸縮性に制限を加えることが可能な第二の芯材を有することを特徴とする。
【００１２】
また、本発明のペット用リードの好ましい実施態様において、前記第二の芯材が、前記弾性部材に沿って配置されていることを特徴とする。
【００１３】
また、本発明のペット用リードの好ましい実施態様において、前記第二の芯材が、巻き取り可能であることを特徴とする。
【発明の効果】
【００１４】
本発明の連結部材によれば、現存するペット用リードに簡単に取り付け可能であり、取り付けた場合には、伸縮の制御が可能となり、狭い場所でも安心してペットの行動を管理することが可能であるという有利な効果を奏する。また、本発明のペット用リードによれば、伸縮性を有することから、ペットの首等を傷めず、かつ、ぎっくり腰等による飼い主の負担も軽減するとともに、伸縮の制御が可能となり、狭い場所でも安心してペットの行動を管理することが可能であるという有利な効果を奏する。また、伸縮を制御できるので、例えば、大型のペット用、小型用のペット用というように2つのリードを持たなくても、１つのリードで、大型、小型用それぞれにあう伸縮を調整して使用することができるという有利な効果を奏する。本発明によれば、その他、製造コストが安い、安全である等他、伸縮性を有することから、飼い犬等ペットの動きもペット等に負担をかけることなく制御することができる等の有利な効果を奏する。
【発明を実施するための最良の形態】
【００１５】
まず、本発明の連結部材について説明する。
【００１６】
本発明のペット用リードの連結部材は、伸縮性を有する弾性部材と、前記弾性部材に取り付けられたフックと、前記フックに脱着可能な第一の芯材とを有する。ここで、伸縮性を有する弾性部材について、特に限定されるものではないが、例えば、ゴム、バネ、金属バネ、金属スプリング等を例示することができる。より伸縮性を発揮して、比較的伸びが大きいという観点から、弾性部材としては、バネ、スプリング、特に金属製バネ、スプリングが好ましい。また、弾性部材には、フックが取り付けられている。当該フックの構造、材質等は、前記第一の芯材を脱着可能であり、飼い犬等ペットに引っ張られても脱落しない程度の強度を有する限り、特に限定されない。当該フックは、前記第一の芯材を脱着可能である。芯材としては、特に限定されるものではない。芯材は、非弾性材料でも、弾性材料でも構わないが、弾性材料で構成されているのであれば、上記弾性部材よりも強度が高いものがよい。芯材は、前記弾性部材の伸縮性を調整する役割を有するからである。芯材としては、特に限定されないが、例えば、ひも、針金、鎖、ゴム紐、ワイヤー、スプリング、バネ等を例示することができる。本発明においては、連結部材に設けられた1又はそれ以上のフックを利用して、当該第一の芯材を適当なフックへつなげば、弾性部材の伸縮を制御することができる。例えば、弾性部材の両端に存在するフックへ、芯材を繋げば連結部材の弾性を完全に遮断することができる。また、芯材をフックからはずせば、弾性部材の伸張をフルに生かすことができ、また、弾性部材の中間に設置されたフックを利用すれば、段階的で、可変可能な所望の強さの弾性、伸縮性を残した連結部材を得ることができる。これにより使用の幅、態様が格段に広がり、用途も広がることとなる。
【００１７】
また、本発明の連結部材の好ましい実施態様において、さらに、前記弾性部材の伸縮性に制限を加えることが可能な第二の芯材を有する。第一の芯材によっても弾性部材の伸縮性を調整できるが、第二の芯材は、前記弾性部材の耐久性を担保するために、弾性部材が伸びすぎないように、ある一定の距離で止まるようにするものである。すなわち、弾性部材の伸縮性を保護するためのものである。第二の芯材としては、特に限定されないが、例えば、ひも、針金、鎖、ゴム紐、ワイヤー、スプリング、バネ等を例示することができる。
【００１８】
好ましい実施態様において、前記第二の芯材が、前記弾性部材に沿って配置されている。第二の芯材の長さは、弾性部材の限界の伸びよりも短い。第二の芯材の伸びをストップさせることが可能であれば、第二の芯材は特に限定されないが、芯材をコンパクトに収納するという観点から、前記第二の芯材は巻き取り可能であることが好ましい。巻き取り可能な構成、構造等については、常法により特に限定されない。
【００１９】
次に、本発明のペット用リードについて説明する。本発明のペット用リードは、伸縮性を有する弾性部材と、前記弾性部材に接続可能なリードと、前記弾性部材又は前記リードに取り付けられた少なくとも２つのフックと、前記フックに脱着可能な第一の芯材とを有するペット用リードであって、前記脱着により前記ペット用リードの伸縮性が可変可能である。ここで、伸縮性を有する弾性部材について、特に限定されるものではないが、例えば、ゴム、バネ、スプリング、金属製バネ、金属製スプリング等を例示することができる。より伸張性を発揮して、比較的伸びが大きいという観点から、弾性部材としては、バネ、スプリング、特に金属バネ、金属スプリングが好ましい。また、弾性部材に接続可能なリードについても、特に限定されるものではない。本発明においては、前記弾性部材又は前記リードに取り付けられた少なくとも２つのフックを有している。当該フックの構造、材質等は、前記第一の芯材を脱着可能であり、飼い犬等ペットに引っ張られても脱落しない程度の強度を有する限り、特に限定されない。当該フックは、前記第一の芯材を脱着可能とする。芯材としては、特に限定されるものではない。芯材は、非弾性材料でも、弾性材料でも構わないが、弾性材料で構成されているのであれば、上記弾性部材よりも強度が高いものがよい。これは、芯材は、前記弾性部材の伸縮性を調整する役割を有するからである。芯材としては、特に限定されないが、例えば、ひも、針金、鎖、ゴム紐、ワイヤー、スプリング、バネ等を例示することができる。本発明においては、弾性部材又はリードに設けられた1又はそれ以上のフックを利用して、当該第一の芯材を適当なフックへつなげば、弾性部材の伸縮を制御することができる。例えば、弾性部材の両端に存在するフックへ、芯材を繋げば弾性部材の弾性を完全に遮断することができる。また、芯材をフックからはずせば、弾性部材の伸張をフルに生かすことができ、また、弾性部材の中間に設置されたフックを利用すれば、段階的で、可変可能な所望の強さの弾性、伸張性を残したペット用リードを得ることができる。これにより使用の幅、態様が格段に広がり、用途も広がることとなる。
【００２０】
また、本発明の好ましい実施態様において、さらに、前記弾性部材の伸縮性に制限を加えることが可能な第二の芯材を有する。第一の芯材によっても弾性部材の伸縮性を調整できるが、第二の芯材は、前記弾性部材の耐久性を担保するために、弾性部材が伸びすぎないように、ある一定の距離で止まるようにするものである。すなわち、弾性部材の伸縮性を保護するためのものである。第二の芯材としては、特に限定されないが、例えば、ひも、針金、鎖、ゴム紐、ワイヤー、スプリング、バネ等を例示することができる。
【００２１】
好ましい実施態様において、前記第二の芯材が、前記弾性部材に沿って配置されている。第二の芯材の長さは、弾性部材の限界の伸びよりも短い。第二の芯材の伸びをストップさせることが可能であれば、第二の芯材は特に限定されないが、芯材をコンパクトに収納するという観点から、前記第二の芯材は巻き取り可能であることが好ましい。巻き取り可能な構成、構造等については、常法により特に限定されない。
【００２２】
以下では、図面を一例として参照しながら、本発明の一実施態様における連結部材及びペット用リードについて説明する。
【００２３】
図１は、本発明の一実施態様における連結部材において、弾性部分の拡大図を示す。図中、１は外皮部材、２は弾性部材、３は第二の芯材を示す。外皮部材１は、弾性部材２を長尺袋状に形成されている。また、弾性部材２と同様に伸縮性を有する。外皮部材１は、弾性部材２の外側を覆うことによって剥き出しの弾性部材に装飾を加えようとするものである。外皮部材１は、例えば、化粧布でデザインしてもよい。また、外皮部材１は、例えば、リードの色、模様等に併せて、デザイン的に装飾を施してもよい。弾性部材２は、図においては金属製スプリングである。図１において、第二の芯材３は、ワイヤーやひもであるが、上述のように非弾性、弾性を問わず、一定の長さまで延びたらスプリング等の弾性部材の伸びをストップさせる役割を有すればよい。
【００２４】
図２は、本発明の一実施態様における連結部材の一例を示す。図２において、１は外皮部材、２は弾性部材、４、４a、及び４ｂはフックa、５は部材、６及び６aはフックb、７は第一の芯材を示す。第一の芯材７は、その一端をフックb（６）を介してフックa（４）に連結されている。さらに、第一の芯材のもう一端をフックｂ（６a）を介してフックa（４ｂ又は４a）につなぐことが可能である。６を４に連結した状態で、図２の４ｂに６aを連結すれば、弾性部材２の伸張を完全に制御することができる（図２のＬ１+Ｌ２分の弾性部材の伸張性が完全に制限される。）。６を４に連結した状態で、図２の４aに６aを連結すれば、弾性部材の伸張率（図２のＬ２分の弾性部材の伸張性を利用可能である。）を半分に低減することができる。この場合、既存のリードに当該連結部材を連結していれば、飼い犬等のペットの行動範囲が2分の１に狭めさせることができる。このようにして、適当な位置のフック４、４a、４b等に第一の芯材７を連結することによって、多様な柔軟性を有する連結部材を得ることができる。また、部材５は、フックやスプリングを固定することができれば、特に限定されない。固定方法は常法による。また、図示しないが、連結部材の両端にある部材５には、フック６などのフックをあらたに備えることにより、既存のリードと連結可能である。
【００２５】
なお、図２においては、フックaは、４、４a、４ｂの3か所のみに設置されているが、これ以上の複数のフックを連結部材に設けてもよく、逆に4及び４ｂにフックを設けてもよい。
【００２６】
図３は、本発明の一実施態様におけるペット用リードを示す。図３は、本発明の連結部材を直接、首輪１０と手持ち部１１へ連結する一例を示す。４、４a及び４ｂはフックa、５は部材、６及び６aはフックb、７は第一の芯材、８はフックc、９はフックd、１０は首輪、１１は手持ち部である。
【００２７】
第一の芯材７は、図３においては、その一端をフックb（６）を介してフックa（４）に連結されていて、さらに、第一の芯材７のもう一端をフックｂ（６a）を介してフックa（４ｂ）につながれている。この場合、弾性部材２の伸縮性が完全に制限されることになる。第一の芯材７の一端をフックb（６）を介してフックa（４）に連結されていて、さらに、第一の芯材７のもう一端をフックｂ（６a）を介してフックa（４a）につながれていれば(この場合、第一の芯材７が図２のL1の長さであれば)、弾性部材２のL1分の伸縮性を制限でき、L2分は、弾性部材の制限なしに伸張されることができる。この場合、飼い犬等のペットの行動範囲が2分の１に狭めさせることができる。このようにして、適当な位置のフック４、４a、４b等に第一の芯材７を連結することによって、多様な柔軟性を有するペット用リード、ひいては、ペットの行動範囲を段階的に管理可能なペット用リードを得ることができる。また、部材５は、フックやスプリングを固定することができれば、特に限定されない。固定方法は常法による。
【００２８】
なお、図３においては、フックaは、４、４a、４ｂの3か所のみに設置されているが、これ以上の複数のフックを連結部材に設けてもよく、逆に4及び４ｂにフックを設けてもよい。
【００２９】
また、図３においては、第二の芯材を用いていないが、別途、第二の芯材、例えばワイヤーを、例えば、スプリング２の内部に設置すれば、第一の芯材とは独立して、ワイヤーの長さに依存して、スプリング2は一定の長さまで延び、その後ストップさせることが可能である。
【００３０】
なお、連結部材の既存のリードへの適用方法については、常法の接続法を適宜用いることができ、特に限定されない。例えば、一般リードへの取り付けには、太さ自在のゴム製素材パーツと、マジックテープ(登録商標)などの面ファスナー付きひもと、穴あき金属製フックとからなる接続部材を用いることができる。この部材は、他のどの様なリードにも簡単に取り付けが可能であり、既存のリードを傷つけることなく適用可能である。
【００３１】
図４は、本発明の一実施態様におけるペット用リードを示す。図４は、本発明の連結部材をリードを介して首輪１０と手持ち部１１へ連結する一例を示す。図４においては、フックｃ（８）を介してリードに接続されているが、リードへの接続方法は、特に限定されない。フックを用いることなく、常法により弾性部材とリードとを接続できれば足りる。また、図４においては、フックa（４，４a、４ｂ）は、弾性部材に取り付けられているが、リードに取り付けられていてもよく、首輪１０に取り付けられていてもよく、手持ち部１１に取り付けられてもよい。要するに、弾性部材２の伸縮性を制限することが可能であれば、フックの取り付け位置は特に限定されない。
【００３２】
図４において、４、４a及び４ｂはフックa、５は部材、６及び６aはフックb、７は第一の芯材、８はフックc、９はフックd、１０は首輪、１１は手持ち部、１２はリードである。
【００３３】
第一の芯材７は、図４においては、その一端をフックb（６）を介してフックa（４）に連結されていて、さらに、第一の芯材７のもう一端をフックｂ（６a）を介してフックa（４ｂ）につながれている。この場合、弾性部材２の伸縮性が完全に制限されることになる。第一の芯材７の一端をフックb（６）を介してフックa（４）に連結されていて、さらに、第一の芯材７のもう一端をフックｂ（６a）を介してフックa（４a）につながれていれば(この場合、第一の芯材７が図２のL1の長さであれば)、弾性部材２のL1分の伸縮性を制限でき、L2分は、弾性部材の制限なしに伸張されることができる。この場合、飼い犬等のペットの行動範囲が2分の１に狭めさせることができる。このようにして、適当な位置のフック４、４a、４b等に第一の芯材７を連結することによって、多様な柔軟性を有するペット用リード、ひいては、ペットの行動範囲を段階的に管理可能なペット用リードを得ることができる。また、部材５は、フックやスプリングを固定することができれば、特に限定されない。固定方法は常法による。
【００３４】
なお、図４においては、フックaは、４、４a、４ｂの3か所のみに設置されているが、これ以上の複数のフックを連結部材に設けてもよく、逆に4及び４ｂにフックを設けてもよい。
【００３５】
また、図４においては、第二の芯材を用いていないが、別途、第二の芯材、例えばワイヤーを、例えば、スプリング２の内部に設置すれば、第一の芯材とは独立して、ワイヤーの長さに依存して、スプリング2は一定の長さまで延び、その後ストップさせることが可能である。
【００３６】
また、図４においては、フック８を介して、弾性部材２と、首輪１０又はリード１２とを接合しているが、上述のように面ファスナー等を利用した接合法により接合、固定、連結してもよい。
【００３７】
図５は、本発明の一実施態様におけるペット用リードを示す。図５は、本発明の連結部材をリードを介して首輪１０と手持ち部１１へ連結する一例を示す。特に、本発明を既存のペット用リードに組み込んだ場合の一例である。図５においては、フックｃ（８）を介してリード１２に接続されているが、リード１２への接続方法は、特に限定されない。フックを用いることなく、常法により弾性部材とリードとを接続できれば足りる。また、図５においては、フックa（４，４a、４ｂ）は、弾性部材に取り付けられているが、リードに取り付けられていてもよく、首輪１０に取り付けられていてもよく、手持ち部１１に取り付けられてもよい。要するに、弾性部材２の伸縮性を制限することが可能であれば、フックの取り付け位置は特に限定されない。
【００３８】
図５において、４、４a及び４ｂはフックa、５は部材、６及び６aはフックb、７は第一の芯材、８はフックc、９はフックd、１０は首輪、１１は手持ち部、１２はリードである。
【００３９】
第一の芯材７は、図５においては、その一端をフックb（６）を介してフックa（４）に連結されていて、さらに、第一の芯材７のもう一端をフックｂ（６a）を介してフックa（４ｂ）につながれている。この場合、弾性部材２の伸縮性が完全に制限されることになる。第一の芯材７の一端をフックb（６）を介してフックa（４）に連結されていて、さらに、第一の芯材７のもう一端をフックｂ（６a）を介してフックa（４a）につながれていれば(この場合、第一の芯材７が図２のL1の長さであれば)、弾性部材２のL1分の伸縮性を制限でき、L2分は、弾性部材の制限なしに伸張されることができる。この場合、飼い犬等のペットの行動範囲が2分の１に狭めさせることができる。このようにして、適当な位置のフック４、４a、４b等に第一の芯材７を連結することによって、多様な柔軟性を有するペット用リード、ひいては、ペットの行動範囲を段階的に管理可能なペット用リードを得ることができる。また、部材５は、フックやスプリングを固定することができれば、特に限定されない。固定方法は常法による。
【００４０】
なお、図５においては、フックaは、４、４a、４ｂの3か所のみに設置されているが、これ以上の複数のフックを連結部材に設けてもよく、逆に4及び４ｂにフックを設けてもよい。
【００４１】
また、図５においては、第二の芯材を用いていないが、別途、第二の芯材、例えばワイヤーを、例えば、スプリング２の内部に設置すれば、第一の芯材とは独立して、ワイヤーの長さに依存して、スプリング2は一定の長さまで延び、その後ストップさせることが可能である。
【００４２】
また、図５においては、フック８を介して、弾性部材２と、首輪１０又はリード１２とを接合しているが、上述のように面ファスナー等を利用した接合法により接合、固定、連結してもよい。
【産業上の利用可能性】
【００４３】
本発明のペット用リードの連結部材は、既存のリードに直ちに適用可能であり、また、本発明のペット用リードは、飼い主、飼い犬ともに利点が多く、家庭一般のみならず、訓練用のあらゆる分野において適用可能であり、極めて有効である。
【図面の簡単な説明】
【００４４】
【図１】図１は、本発明の一実施態様における連結部材において、弾性部分の拡大図を示す。
【図２】図２は、本発明の一実施態様における連結部材の一例を示す。
【図３】図３は、本発明の一実施態様におけるペット用リードを示す。
【図４】図４は、本発明の一実施態様におけるペット用リードを示す
【図５】図５は、本発明の一実施態様におけるペット用リードを示す。
【符号の説明】
【００４５】
１     外皮部材
２     弾性部材
３     第二の芯材
４     フックa
４a    フックa
４ｂ   フックa
５     部材
６     フックb
６a    フックb
７     第一の芯材
８     フックc
９     フックd
１０   首輪
１１   手持ち部
１２   リード
【図１】
2011167136.tif 000003
【図２】
2011167136.tif 000004
【図３】
2011167136.tif 000005
【図４】
2011167136.tif 000006
【図５】
2011167136.tif 000007